(57)【要約】【課題】複数のシーンにおいて撮影した画像があった場合でも撮影シーン毎に特定の人物が写っている画像を選択して送信することのできる電子機器を提供する。【解決手段】本発明の電子機器は、画像を送信する送信手段と、複数の画像を記憶する画像記憶手段と、前記画像記憶手段に記憶された画像毎に顔画像と顔画像以外の部分を抽出し、前記顔画像以外の部分の類似度が一定値以上の画像を同一画像グループとし、前記同一画像グループ毎に前記顔画像に基づいて画像を選択する画像選択手段とを備え、前記送信手段は、前記画像選択手段において選択された画像を送信する。【選択図】図１
2012231208.tif 000002
【特許請求の範囲】
【請求項１】
画像を送信する送信手段と、
複数の画像を記憶する画像記憶手段と、
前記画像記憶手段に記憶された画像毎に顔画像と顔画像以外の部分を抽出し、前記顔画像以外の部分の類似度が一定値以上の画像を同一画像グループとし、前記同一画像グループ毎に前記顔画像に基づいて画像を選択する画像選択手段とを備え、
前記送信手段は、前記画像選択手段において選択された画像を送信する電子機器。
【請求項２】
メールアドレスと前記メールアドレスに対応する顔画像データを記憶する送信先情報記憶手段を備え、
前記送信手段は、前記メールアドレスに対して前記画像選択手段において選択された画像を送信する電子機器。
【請求項３】
前記画像選択手段は、前記同一画像グループ毎に前記顔画像の感情表現度を判定して画像を選択する請求項１または請求項２記載の電子機器。
【発明の詳細な説明】
【技術分野】
【０００１】
本発明は撮影した画像の送信を行うカメラ付き電子機器に関する。
【背景技術】
【０００２】
近年、携帯電話にカメラが搭載され、カメラで撮影した画像を携帯電話の通信機能を利用して直接送信することが可能となっている。
【０００３】
また、携帯電話を用いたコミュニケーション手段のひとつとしてメール機能が利用されている。メール機能の一部としてメールの添付データとして画像を送信することが可能であり、カメラで撮影した画像もメールの添付データとして送信されることが多い。
【０００４】
この場合、カメラで撮影した画像のうち、どの画像を送信すべきかを決定し、送信すべき相手を決定し、メーラと呼ばれるアプリケーションを利用してメールを作成し、さらに添付データとして画像を選択し、メールに添付して送信するといった一連の操作を行わなければならず、さらに、送信したい相手や送信したい画像が複数ある場合はこの操作を繰り返し行わなければならない。
【０００５】
そこで、特許文献１では、撮影画像に含まれる人物の顔画像を検出し、データベースに登録されたデータと比較し同一人物か否かを判定し、同一人物であると判定された場合には対応するメールアドレスをデータベースから読み出して送信用の電子メールのアドレスに設定するという技術が開示されている。これによって、撮影した人物のアドレスが自動的に選択され、画像を配信している。
【０００６】
また、特許文献２では、同一人物か否かの判定において一致の程度を数値化し、この数値が閾値を越えるものについて同一人物と判定する技術が開示されている。これによって、ある人物の顔画像を含む撮影画像が複数あった場合に、撮影した人物の画像を選択的に送信している。
【先行技術文献】
【特許文献】
【０００７】
【特許文献１】特開２００６−１７８５５８号公報
【特許文献２】特開２００７−０２８０７７号公報
【発明の概要】
【発明が解決しようとする課題】
【０００８】
従来技術では、撮影シーンを考慮せずに人物の顔画像のみで送信するか否かを決定しているため、複数のシーンにわたって撮影した画像があった場合に、撮影シーン毎に画像を選択して送信することが出来ないという課題があった。例えば、観光旅行で撮った写真を同行者に送信したいような場合に、観光地毎に同行者が一番笑っている表情の写真を選んで送信することができなかった。
【０００９】
本発明は、前記従来技術の課題を解決するもので、複数のシーンにおいて撮影した画像があった場合でも顔画像と顔画像以外の部分の類似度に基づいて、撮影シーン毎に画像を選択して送信する電子機器を提供することを目的とする。
【課題を解決するための手段】
【００１０】
本発明の電子機器は、画像を送信する送信手段と、複数の画像を記憶する画像記憶手段と、前記画像記憶手段に記憶された画像毎に顔画像と顔画像以外の部分を抽出し、前記顔画像以外の部分の類似度が一定値以上の画像を同一画像グループとし、前記同一画像グループ毎に前記顔画像に基づいて画像を選択する画像選択手段とを備え、前記送信手段は、前記画像選択手段において選択された画像を送信する構成を有する。
【００１１】
この構成により、複数のシーンにおいて撮影した画像があった場合でも顔画像と顔画像以外の部分の類似度に基づいて撮影シーン毎に画像を選択して送信することが出来る。
【発明の効果】
【００１２】
本発明の電子機器によれば、複数のシーンにわたって特定の人物を撮影した画像が大量に保存されている場合でも、撮影シーン毎にその特定の人物が写っている画像を選択して送信することが可能となる。
【図面の簡単な説明】
【００１３】
【図１】本発明の実施の形態における電子機器の構成を示す図
【図２】本発明の実施の形態における電子機器の動作を示すフローチャート
【発明を実施するための形態】
【００１４】
以下に、本発明の実施の形態について、図面を参照しながら説明する。
【００１５】
図１は、本実施の形態における電子機器の機能ブロック構成図である。
【００１６】
図１に示したとおり、本実施の形態における電子機器は、画像撮影手段１０１、画像記憶手段１０２、送信先情報記憶手段１０３、画像選択手段１０４、送信手段１０５から構成されている。
【００１７】
画像撮影手段１０１は、例えば携帯電話に搭載されたカメラであり、ユーザの任意のタイミングで画像を撮影する。
【００１８】
画像記憶手段１０２は、例えばフラッシュメモリであり、画像撮影手段１０１で撮影した複数の画像を記憶する。
【００１９】
送信先情報記憶手段１０３は、例えば携帯電話の電話帳データであり、複数の送信先情報（メールアドレスと対応する顔画像データ）を記憶する。
【００２０】
画像選択手段１０４は、画像記憶手段１０２に保存された複数の画像の中から、顔画像部分とそれ以外の部分とを抽出し、それぞれ抽出した部分について比較判定を行い、送信画像を選択する。顔画像については送信先情報記憶手段１０３に記憶された顔画像データと比較し、特定の人物であるかを判定する。顔画像以外の部分については、複数の画像に含まれる顔画像以外の部分の比較を行い、類似度が一定値以上の画像を同一画像グループとする。同一画像グループの画像について特定の人物が写っていると判定した画像の中から、感情表現度に基づいて顔画像を選択する。顔画像以外の類似度は、例えば、比較画像データの一致割合である。感情表現度は、顔画像に占める目や口の大きさ、口角の上がり具合、しわの寄り具合によって判定され、例えば、笑い度合を示す笑顔度として表される。
【００２１】
送信手段１０５は、例えば携帯電話のメール送信機能であり、送信先情報記憶手段１０３に記憶されたいずれかの送信先メールアドレスへ画像選択手段１０４によって選択した画像を送信する。
【００２２】
図２は、本発明の実施の形態における電子機器の動作を説明するフローチャートである。
【００２３】
まず、画像選択手段１０４では、画像記憶手段１０２に記憶されている画像の中から、いずれかの画像を基準画像として設定する（Ｓ１０１）。次に基準画像について顔画像以外の背景部分を抽出する（Ｓ１０２）。そして、基準画像以外の画像を処理対象画像として設定し（Ｓ１０３）、処理対象画像毎に顔画像以外の背景部分を抽出する（Ｓ１０４）。Ｓ１０２で抽出した基準画像の背景部分と、Ｓ１０４で抽出した処理対象画像の背景部分を画像毎に比較し、類似度を画像毎に計算する（Ｓ１０５）。そして、類似度が一定値以上の画像については同一画像グループとする（Ｓ１０６）。次に、全ての画像についてグループ分けが完了しているかどうかを判定し（Ｓ１０７）、グループ分けが完了していない場合には、同一画像グループに割り当てられなかった画像の中からあらたに基準画像を設定して、Ｓ１０１〜Ｓ１０６の処理を繰り返す。Ｓ１０７において全ての画像のグループ分けが完了したと判定した場合には、同一画像グループ毎に笑顔度の高い画像を選択する（Ｓ１０８）。そして、Ｓ１０８で選択した画像を送信手段１０５によりメール送信する（Ｓ１０９）。
【００２４】
以上の処理により、背景が類似している画像を同一画像グループとし、同一画像グループ毎に笑顔度の高い画像を選択してメール送信することが可能となる。例えば、海辺で撮った画像グループ、神社の建物が写っている画像グループといったようにグループ分けを行って、各画像グループ毎に一番笑顔で撮れた写真を選択してメール送信することができる。
【００２５】
なお、上記の例では、画像選択手段１０４で選択した画像をメールにより送信していたが、ファイルサーバや外部記憶装置に送信して保存するようにしても構わない。
【００２６】
以上のように、本実施の形態によれば、複数のシーンにわたって特定の人物を撮影した画像が大量に保存されている場合でも、撮影シーン毎にその特定の人物が写っている画像を選択して送信することが可能となる。
【００２７】
さらに、感情表現度を判定して画像を選択することにより、特定の人物に対して特定の表情で写っている画像を選択して、その画像を送信することができる。
【産業上の利用可能性】
【００２８】
本発明は、複数のシーンにおいて撮影した画像があった場合でも撮影シーン毎に特定の人物を撮影した画像を選択することが出来るため、デジタルカメラや携帯電話、通信端末等のカメラ付き電子機器への適用が可能である。
【符号の説明】
【００２９】
１０１    画像撮影手段
１０２    画像記憶手段
１０３    送信先情報記憶手段
１０４    画像選択手段
１０５    送信手段
【図１】
2012231208.tif 000003
【図２】
2012231208.tif 000004